(57)【要約】【課題】通常のリフターの使用を可能にし、荷物の積載、運搬の作業の容易化を図ることがきる荷物用パレット架台、及びこの荷物用パレット架台を使用した物流方法を提供する。【解決手段】荷物用パレット架台１は、荷物用パレット２と、この荷物用パレットを載置する架台３とから構成され、荷物用パレット２は、荷物を載せるベース部２１と、このベース部下面に一体形成された複数の支持部２２，２３，２４からなり、架台３は、荷物用パレット２を載置する複数の筋状の受け部材６，７，８と、複数の筋状の受け部材を連結して、荷物用パレットを後方で受け止める連結部５と、受け部材の四隅に配置されたキャスター１１及び受け部材の中央部に配置された回転手段４を有し、キャスター１１は、荷物を載せる前の状態では地面から離れるように形成され、荷物用パレットの片側に荷物を載せた状態で、荷物を載せた側のキャスター１１を地面に接触させ、回転手段４を中心に回転可能と成された構成とする。物流方法は、上記荷物用パレットを用いて行われる。【選択図】        図１
2004203438.tif 000002
【特許請求の範囲】
【請求項１】
荷物用パレットと、該荷物用パレットを載置する架台とから構成され、
前記荷物用パレットは、荷物を載せるベース部と、該ベース部下面に一体形成された複数の支持部からなり、
前記架台は、前記荷物用パレットを載置する複数の筋状の受け部材と、前記複数の筋状の受け部材を連結して、前記荷物用パレットを後方で受け止める連結部と、前記受け部材の四隅に配置されたキャスター及び前記受け部材の中央部に配置された回転手段を有し、
前記キャスターは、荷物を載せる前の状態では地面から離れるように形成され、荷物用パレットの片側に荷物を載せた状態で、荷物を載せた側のキャスターを地面に接触させ、前記回転手段を中心に回転可能と成された
ことを特徴とする荷物用パレット架台。
【請求項２】
前記複数の筋状の受け部材の間隔が、荷物運搬用のリフターの爪が挿入され得る間隔に設定され、
地面から前記荷物用パレットの底面までの距離が前記リフターの爪の上昇時の高さより低く設定されて成る
ことを特徴とする請求項１記載の荷物用パレット架台。
【請求項３】
前記連結部は、受け部材の面より垂直に突出され、前記複数の筋状の受け部材のうち中央の受け部材が断面Ｕ字状に形成されてなる
ことを特徴とする請求項１記載の荷物用パレット架台。
【請求項４】
荷物用パレットと、該荷物用パレットを載置する架台とから構成され、
前記荷物用パレットは、荷物を載せるベース部と、該ベース部下面に一体形成された複数の支持部からなり、
前記架台は、前記荷物用パレットを載置する複数の筋状の受け部材と、前記複数の筋状の受け部材を連結して、前記荷物用パレットを後方で受け止める連結部と、前記受け部材の四隅に配置されたキャスター及び前記受け部材の中央部に配置された回転手段を有し、
前記キャスターは、荷物を載せる前の状態では地面から離れるように形成され、荷物用パレットの片側に荷物を載せた状態で、荷物を載せた側のキャスターを地面に接触させ、前記回転手段を中心に回転可能と成された荷物用パレット架台を使用し、
前記架台上に、前記荷物用パレットを載置し、
前記荷物用パレット上の前記一方の受け部材側に対応する片側に荷物を載せた後、
地面に接触した一方の受け部材の２つのキャスターと中央の受け部材の回転手段とにより、前記荷物用パレット架台を手動回転して、該荷物用パレット架台上の他方の片側に荷物を載せ、
次いで、リフターの爪を前記複数の筋状の受け部材間の空間に挿入して該リフターを上昇させ、荷物を載せた前記荷物用パレットを前記架台から切り離して運搬する
ことを特徴とする物流方法。
【請求項５】
荷物用パレットと、該荷物用パレットを載置する架台とから構成され、
前記荷物用パレットは、荷物を載せるベース部と、該ベース部下面に一体形成された複数の支持部からなり、
前記架台は、前記荷物用パレットを載置する複数の筋状の受け部材と、前記複数の筋状の受け部材を連結して、前記荷物用パレットを後方で受け止める連結部と、前記受け部材の四隅に配置されたキャスター及び前記受け部材の中央部に配置された回転手段を有し、
前記キャスターは、荷物を載せる前の状態では地面から離れるように形成され、荷物用パレットの片側に荷物を載せた状態で、荷物を載せた側のキャスターを地面に接触させ、前記回転手段を中心に回転可能と成された荷物用パレット架台を使用し、
前記架台から前記回転手段を取り外し、
前記架台上に、前記荷物用パレットを載置し、
前記荷物用パレット上の前記一方の受け部材側に対応する片側に荷物を載せた後、
前記受け部材のキャスターにより前記荷物用パレット架台を手動回転して、該荷物用パレット架台上の他方の片側に荷物を載せ、
次いで、前記キャスターにより前記荷物用パレット架台ごと運搬する
ことを特徴とする物流方法。
【発明の詳細な説明】
【０００１】
【発明の属する技術分野】
本発明は、荷物用パレット架台及びこれを使用した物流方法に関する。
【０００２】
【従来の技術】
一般に、例えば陰極線管などの重量のある複数の荷物をパレット上に積載して運搬する場合、回転可能な荷物用パレット架台を使用し、この架台上にセットしたパレット上に荷物を積載するようにしている。
従来の荷物用パレットの手動式回転装置、即ち荷物用パレット架台としては、例えば図１０、図１１に示すように、重ね合わせた２つのリング状体４１及び４２の間に複数のベアリング４３を介在させ、固定側のアンダーリング状体４１を地面４５に配置し、回転側のアッパーリング状体４２上に荷物用パレット４６をセットできるように構成した荷物用パレット架台４４が知られている（特許文献１参照）。この荷物用パレット架台４４を用いて荷物を積載する場合は、架台４上にパレット４６をセットした後、先ずパレット４６の片側（手前側）上に荷物４７を積載し、次に、アッパーリング状体４２を１８０°回転して手前側にきた他方の片側上に残りの荷物を積載するようにしている。
【０００３】
【特許文献１】
特開２０００ー２７２７４４号公報
【０００４】
【発明が解決しようとする課題】
ところで、上述の荷物用パレット架台４４は、２つのリング状体４１及び４２で構成されている。このため、荷物を積載した荷物用パレット４６を運搬する際に、図１０に示すように、運搬用のリフターの爪４９（車輪４８付き）を直接パレット４６の底面下に挿入することが出来ない。このため、別作業でパレット４６をリフターに載せるか、爪の間隔が拾い大型のリフターを用意する必要があった。さらにはリフターで対応する場合、荷物用パレット架台自体を床面に埋め込むような高価な改造が必要であり、一度設置すると移動も容易でなかった。
【０００５】
本発明は、上述の点に鑑み、通常のリフターの使用を可能にし、荷物の積載、運搬の作業の容易化を図ることがきる荷物用パレット架台、及びこの荷物用パレット架台を使用した物流方法を提供するものである。
【０００６】
【課題を解決するための手段】
本発明に係る荷物用パレット架台は、荷物用パレットと、この荷物用パレットを載置する架台とから構成され、荷物用パレットは、荷物を載せるベース部と、このベース部下面に一体形成された複数の支持部からなり、架台は、荷物用パレットを載置する複数の筋状の受け部材と、複数の筋状の受け部材を連結して、荷物用パレットを後方で受け止める連結部と、受け部材の四隅に配置されたキャスター及び受け部材の中央部に配置された回転手段を有し、キャスターは、荷物を載せる前の状態では地面から離れるように形成され、荷物用パレットの片側に荷物を載せた状態で、荷物を載せた側のキャスターを地面に接触させ、回転手段を中心に回転可能と成された構成とする。
【０００７】
複数の筋状の受け部材の間隔は、荷物運搬用のリフターの爪が挿入され得る間隔に設定され、地面から荷物用パレットの底面までの距離がリフターの爪の上昇時の高さより低く設定される。
架台の連結部の一部は、荷物用パレットの一辺全体が突き当てられるように突出され、複数の筋状の受け部材は荷物用パレットの支持部が位置決めされる機能を有する。
【０００８】
本発明の荷物用パレット架台では、複数の筋状の受け部材の間隔が、荷物運搬用のリフターの爪が挿入され得る間隔に設定された構成であるので、荷物用パレット架台に荷物用パレットを載置したままで、受け部材の間にリフターの爪を挿入することができ、リフターの上昇で荷物用パレットが荷物用パレット架台から切り離され、運搬可能になる。
連結部の突出した部分に荷物用パレットの一辺全体を突き当て、且つ受け部材に荷物用パレット下面の支持部を突き当てることにより、荷物用パレットの位置決めができ、荷物用パレットが安定する。
荷物用パレット架台に荷物用パレットをセットし、この荷物用パレット上の片側に荷物を載せたとき、荷重によりその片側の受け部材が撓んで２つのキャスターが地面に当接する。これにより、中央の回転支軸を中心に架台を回転させたときに、２つのキャスターにより回転負荷が軽減し、スムーズな架台の回転が可能になる。
【０００９】
本発明に係る物流方法は、上記の荷物用パレット架台を使用し、架台上に、荷物用パレットを載置し、荷物用パレット上の一方の受け部材側に対応する片側に荷物を載せた後、地面に接触した一方の受け部材の２つのキャスターと中央の受け部材の回転手段とにより、荷物用パレット架台を手動回転して、この荷物用パレット架台上の他方の片側に荷物を載せ、次いで、リフターの爪を前記複数の筋状の受け部材間の空間に挿入して該リフターを上昇させ、荷物を載せた荷物用パレットを架台から切り離して運搬する。
【００１０】
本発明に係る物流方法は、上記の荷物用パレット架台を使用し、架台から回転手段を取り外し、架台上に、荷物用パレットを載置し、荷物用パレット上の一方の受け部材側に対応する片側に荷物を載せた後、受け部材のキャスターにより荷物用パレット架台を手動回転して、この荷物用パレット架台上の他方の片側に荷物を載せ、次いで、キャスターにより荷物用パレット架台ごと運搬する。
【００１１】
本発明の物流方法では、上記荷物用パレット架台を使用するので、荷物用パレット上への荷物の積載、リフターにより荷物を積載した荷物用パレットのみの運搬までの一連の工程が連続して行える。
中央の回転支軸を外した荷物用パレット架台を使用するときは、荷物を積載した後、架台のままキャスターにより運搬が可能になる。
【００１２】
【発明の実施の形態】
以下、図面を参照して本発明の実施の形態を説明する。
【００１３】
図１は、本発明に係る荷物用パレット架台の一実施の形態を示す。本実施の形態に係る荷物用パレット架台１は、荷物用パレット２とこの荷物用パレットを載置する架台３とから成る。図１において、１は本実施の形態に係る荷物用パレット架台、２はこの荷物用パレット架台１上に載置される荷物用パレットを示す。
荷物用パレット２は、ベース部２１とその下面に一体に等間隔に並列する３つの筋状の支持部、即ち中央の支持部２３と両端縁の支持部２２及び２４とを有して形成される。この荷物用パレット２は、ダンボール材、木材、その他の機械的強度を有する部材、本例では軽量且つ強度を有するダンボール材で形成される。
【００１４】
荷物用パレット２を載置する架台３は、夫々一端が連結部４に連結され、互いに等間隔を置いて並列した筋状の３つの受け部材６、７及び８により形成される。中央の受け部材７の下面には回転手段４が設けられる。回転手段４は、地面１９（図２参照）の定位置で回転するように中央の受け部材７に着脱自在に設けられた回転支軸９により形成される。一方、両側の受け部材６及び８の四隅の下面にはキャスターが設けられる。このキャスター１１は、荷物を載せる前の状態では地面１９から離れるように形成される。受け部材６〜８は、回転支軸により地面１９との間に所要の空間１２が形成されるように配置される。受け部材６、７及び８の相互の間隔ｄは、リフター３０の爪３１、３２が挿入されるに十分な幅に設定され、受け部材６〜８は、荷物用パレット２を載置した状態で地面１９から受け部材６〜８の上面、従ってパレット底面までの距離Ｌがリフター３０の爪３１、３２の上昇時の高さより低く設定されるように、配置される（図２参照）。勿論、回転支軸９及びキャスター１１は、リフター３０の爪３１、３２を挿入するときに邪魔にならない位置に、且つサイズで設けられる。
【００１５】
中央の受け部材７に設けられた回転支軸９は、架台３の重心位置に対応して受け部材７の中央近傍に取付けネジ１３を介して着脱自在に取付けられる。回転支軸９の下端はベアリング機構を介して地面１９に接触する固定板１０が取付けられる。荷物用パレット架台１は、後述する荷物を載せたときにその重量が受け部材６〜８にかかり、地面１９に対して固着することなく、固定板１０により安定に且つ不動となり、回転支軸９を中心に手動で回転できるように構成される。キャスター１１は、図３に示すように、受け部材６、８に固定された支軸１４にパレット載置面内で回転自在のホルダー１５が取付けられ、このホルダー１５に車輪１６が取付けられて構成される。
【００１６】
架台３を構成する中央の受け部材７は、機械的強度を得ると共に、荷物用パレット２を載置したときに、荷物用パレット２のベース部２１下面の中央の支持部２３が挿入されるように、断面Ｕ字状に形成される。両側の受け部材６及び８は、機械的強度を得るように断面逆Ｕ字状に形成される。各受け部材６及び８には、夫々長手方向に沿って２つずつのキャスター１１が設けられる。各２つのキャスター１１は、架台３を回転する際に、回転支軸９の主回転を補助するために、回転支軸９と２つのキャスター１１が例えば２等辺三角形の頂点に対応する位置に配置される。両側の受け部材６及び８の外側面６ａ及び８ａは、荷物用パレット２を載置したときに、荷物用パレット２のベース２１下面の両側の支持部２２及び２４の内面が当接する位置決め部、即ち荷物用パレット２の一方向の位置決め部の役目をする。３つの受け部材６、７及び８の上面は同一面に在り、荷物用パレット２の載置面を形成する。連結部５は、その一部５ａが受け部材６〜８の上面より垂直に突出して形成され、荷物用パレット２を載置したとき、荷物用パレット２上に荷物を載せたときに、この突出部５ａが荷物用パレット２のベース部２１の一辺全体の突き当て部、荷物の突き当て部の役目、即ち荷物用パレット２の他方向の位置決め部の役目をする。連絡部５は機械的強度を得るために断面Ｕ字状に形成される。受け部材６〜８及び連絡部５は、本例では鉄板で形成される。
【００１７】
次に、上述の荷物用パレット架台１を用いて荷物の梱包し、運搬する物流方法を、図２及び図４〜図８を参照して説明する。
先ず、図２に示すように、荷物用パレット架台１の架台３を構成する３つの受け部材６，７，８上に荷物用パレット２を載置する。このとき、荷物用パレット２のベース部２１下面の中央の支持部２３が中央の受け部材７の溝内に挿入すると共に、荷物用パレット２のベース部下面の両側の支持部２２、２４の内面が両側の受け部材６、８の外側面６ａ、８ａに当接する。これにより、荷物用パレット２の幅方向に位置決めが行われる。また、荷物用パレット２の長さ方向の一辺全体が架台３の連結部５の突出部５ａに突き当て、荷物用パレット２の長さ方向の位置決めを行う。
【００１８】
次に、図４に示すように、作業者が荷物用パレット２上の一方の片側（作業者の手前側の受け部材８側に対応する）に荷物（本例ではプロジェクタ用の陰極線管）２６を積み上げる。荷物２６を載せたときの重量で片持ち支持の受け部材８が撓み、受け部材８の２つのキャスター１１が地面１９に接触する。荷物用パレット２上の片側への荷物２６を積み上げた後は、図５に示すように、手動で架台１を１８０°回転させて荷物用パレット２上の他方の片側を作業者の手前に持ち来す。この回転では、中央の受け部材７の回転支軸９を中心に回転するが、地面１９に接触した受け部材８の２つのキャスター１１も同時に回転し、この２つのキャスター１１が回転付加を軽減している。そして、図６に示すように、荷物用パレット２上に他方の片側に荷物２６を積み上げる。
【００１９】
荷物用パレット２上に荷物２６の積み上げが終了した後、図７に示すように、リフター、本例ではハンドリフター３０の爪３１及び３２を受け部材６、７及び８の間に挿入し、爪３１及び３２を上昇する。これにより、ハンドリフター３０の爪３１及び３２が直接荷物用パレット２の底面に接して荷物２６と共に荷物用パレット２を架台１より切り離して持ち上げ、架台１から他へ移動する（図８参照）。この状態で、例えば荷物用パレット２と各荷物２６を梱包用テープで締めつけて一体に梱包する。次いで、ハンドリフター３０により荷物２６を運搬する。
荷物用パレット２を再利用するときは、荷物２６のみを梱包用テープで締めつけて梱包し、運搬する。
【００２０】
本実施の形態によれば、荷物用パレット架台１の架台３が３つの受け部材６、７及び８で形成されているので、３つの受け部材６〜８で荷物用パレット２の全体を支えることができると共に、受け部材６、７及び８の間に運搬で使用するリフター３０の爪３１、３２を挿入して、荷物用パレット２全体をすくい上げ移動することができる。即ち、荷物を載せた荷物用パレット２を架台３上に配置したまま、荷物用パレット下面へのリフター３０の挿入、昇降を可能にする。また荷物用パレット２の架台３への載置、切り離しがそのままで可能になる。
架台３の連結部５の一部５ａが受け部材の上面より垂直に突出した構成であるので、荷物用パレット２の載置、荷物２６の載置の際に、荷物用パレット２の位置決め、荷物の位置決めが容易にでき、また荷物用パレット２、荷物２６の位置ずれを防止することができる。中央の回転支軸９以外に、複数のキャスター１１を有することにより、架台３の回転をスムーズに行うことができる。従って、荷物の積載、梱包、運搬の作業を容易にし、作業時間の短縮化が図れる。荷物用パレット架台１自体の構成も簡単である。
【００２１】
図９は、本発明に係る物流方法の他の実施の形態を示す。
本実施の形態においては、図１に示す荷物用パレット架台１を用いるも、受け部材７の回転支軸９を取り外した荷物用パレット架台１を使用する。この場合は、受け部材６及び８の４つのキャスター１１が地面１９に接触する。この状態で、架台３上に上述した同様に荷物用パレット２を載置し、先ず荷物用パレット２上の片側に荷物２６を積み上げ、次いでキャスター１１により架台１を１８０°回転し、荷物用パレット２上の他方の片側に荷物２６を積み上げる。荷物２６を梱包した後、キャスター１１により荷物用パレット架台１ごと荷物２６を運搬する。
【００２２】
本実施の形態によれば、リフター３０を使用することなく、荷物用パレット架台１ごとキャスター１１で移動して荷物２６を運搬することができる。
【００２３】
【発明の効果】
本発明に係る荷物用パレット架台によれば、荷物用パレットを載置したまま通常のハンドリフター等のリフターの使用が可能になり、運搬装置の入替え等にかかった作業工数を不要にすることができる。特に、荷物を載せた荷物用パレットを架台上に配置したまま、荷物用パレット下面へのリフターの挿入、昇降を可能にし、荷物の積載、運搬の作業を容易にし、作業時間の短縮を図ることができる。
荷物用パレット架台には荷物用パレット及び荷物の位置決め機能が設けられるので、荷物用パレット、荷物のセッティング作業或いは荷物の梱包作業が確実になり、荷物用パレット架台使用中の荷物用パレット、荷物のずれがなく、作業の安全性を向上することができる。
架台上に荷物用パレットを載せたままリフターの使用が可能になり、１台の運搬装置で荷物用パレットのセット、取出し、及び移動を可能にする。
従来のリング状の荷物用パレット架台で必要であった大型のリフター購入、あるいは荷物用パレット架台を床面に埋め込む高価な改造が不要になり、コスト削減を可能にする。
【００２４】
本発明に係る物流方法によれば、上述の荷物用パレット架台を使用することにより、一般的なリフターを使用して架台上の荷物用パレットのみを容易に切り離して運搬することができる。架台上に荷物用パレットを載せたままリフターの使用が可能になるので、荷物の積載、梱包、運搬の一連の工程が連続して行うことができ、物流の時間短縮を促進することができる。
また、荷物用パレット架台を、その中央の回転支軸を取り外して使用するときは、リフターを使用することなく、荷物用パレット架台ごと荷物を運搬することが可能になり、物流の時間短縮を促進することができる。
【図面の簡単な説明】
【図１】本発明に係る荷物用パレット架台と荷物用パレットの一実施の形態を示す構成図である。
【図２】図１の荷物用パレット架台上に荷物用パレットを載置した状態の断面図である。
【図３】図１のキャスターの例を示す構成図である。
【図４】本発明に係る荷物用パレット架台を用いて荷物の運搬を行う動作説明図（その１）である。
【図５】本発明に係る荷物用パレット架台を用いて荷物運搬の一例を示す動作説明図（その２）である。
【図６】本発明に係る荷物用パレット架台を用いて荷物運搬の一例を示す動作説明図（その３）である。
【図７】本発明に係る荷物用パレット架台を用いて荷物運搬の一例を示す動作説明図（その４）である。
【図８】本発明に係る荷物用パレット架台を用いて荷物運搬の一例を示す動作説明図（その５）である。
【図９】本発明に係る荷物用パレット架台を用いて荷物運搬の他の例を示す動作説明図である。
【図１０】従来のリング状の荷物用パレット架台上に荷物用パレットを載置した状態の平面図である。
【図１１】図１０の従来の荷物用パレット架台に荷物を積載した状態の断面図である。
【符号の説明】
１・・・荷物用パレット架台、２・・・荷物用パレット、３・・・架台、４・・・回転手段、５・・・連結部、６，７，８・・・受け部材、９・・・回転支軸、１０・・・固定板、１１・・・キャスター、１９・・・地面、２１・・・ベース部、２２，２３，２４・・・支持部、２６・・・荷物
【図１】
2004203438.tif 000003
【図２】
2004203438.tif 000004
【図３】
2004203438.tif 000005
【図４】
2004203438.tif 000006
【図５】
2004203438.tif 000007
【図６】
2004203438.tif 000008
【図７】
2004203438.tif 000009
【図８】
2004203438.tif 000010
【図９】
2004203438.tif 000011
【図１０】
2004203438.tif 000012
【図１１】
2004203438.tif 000013